(57)【要約】【課題】簡単な構成によって、防犯センサーに赤外線センサー等を用いた場合のように猫や鳥等の小動物の侵入を不審者の侵入として誤検知してしまうのを防止することが可能となり、防犯センサーの複雑化・部材点数増加による高額化を抑えることができ、また、バルコニー部の腰壁又はフェンス又は塀の上端部あるいはこの上に設けた手摺との収まりがよく一体感があって外観が向上する防犯センサーを提供する。【解決手段】  バルコニー部の腰壁８１又はフェンス又は塀の上端部に圧力センサー１を設け、前記圧力センサー１を覆うと共に下向きの荷重が印加された際に押し下げられて前記圧力センサー１を押圧するセンサー笠木２を設けた。【選択図】図１
2007073022.tif 000002
【特許請求の範囲】
【請求項１】
バルコニー部の腰壁又はフェンス又は塀の上端部に圧力センサーを設け、前記圧力センサーを覆うと共に下向きの荷重が印加された際に押し下げられて前記圧力センサーを押圧するセンサー笠木を設けて成ることを特徴とする防犯センサー。
【請求項２】
バルコニー部の腰壁又はフェンス又は塀の上端部に圧力センサー及びセンサー笠木を取り付けるための取付部材を設け、前記取付部材の上面に圧力センサーを設けると共に、前記取付部材に前記圧力センサーの上方を覆い且つこの部分に圧力センサーを押圧するセンサー押圧部を形成したセンサー笠木を設けて成ることを特徴とする請求項１記載の防犯センサー。
【請求項３】
圧力センサー及びセンサー押圧部をセンサー笠木の長手方向の間隔をあけた複数の箇所に配置して成ることを特徴とする請求項２記載の防犯センサー。
【請求項４】
センサー笠木を取付部材に対して下方に所定のストローク内で移動自在となるように設けて成ることを特徴とする請求項２又は３記載の防犯センサー。
【請求項５】
センサー笠木を下方に開口する断面略Ｕ字状又は略コ字状に形成してその両側片を取付部材の外側面に被嵌する構成とし、センサー笠木の両側片に内方に突出する係合部を設けると共に取付部材の外側面に前記係合部が係合される被係合部を凹設し、前記被係合部の少なくとも下部を下方へ行く程外方に位置するように傾斜する傾斜面として成ることを特徴とする請求項４記載の防犯センサー。
【請求項６】
圧力センサーの受感部を上方に凸となる形状に形成し、センサー押圧部の前記受感部を押圧する押圧凸部を受感部の頂部以外の部位に対応する部分にそれぞれ設けて成ることを特徴とする請求項２乃至５のいずれかに記載の防犯センサー。
【請求項７】
バルコニー部の腰壁又はフェンス又は塀の上端面に設けた手摺に取付部材を固定するものにおいて、取付部材を手摺に取り付ける際に手摺の曲率を吸収するための曲率吸収部材を設けて成ることを特徴とする請求項２乃至６のいずれかに記載の防犯センサー。
【請求項８】
センサー笠木に該センサー笠木が下方に押し下げられた際に復元力を発生させるため取付部材に弾接する弾性部を設けて成ることを特徴とする請求項２乃至７のいずれかに記載の防犯センサー。
【請求項９】
センサー笠木の下面にセンサー押圧部及び弾性部を有するセンサー押圧部材を設け、前記センサー押圧部材をその弾性部を硬度の低い合成樹脂で形成すると共に弾性部以外の部分を硬度の高い合成樹脂で形成して成ることを特徴とする請求項８記載の防犯センサー。
【請求項１０】
センサー笠木の下面にセンサー押圧部及び弾性部を有するセンサー押圧部材を設け、前記センサー押圧部材の弾性部を屈曲部又は湾曲部にて形成して成ることを特徴とする請求項８記載の防犯センサー。
【請求項１１】
取付部材の上面に上方に開口してその内部が保持部となる弾性を有するセンサー保持部材を設け、該センサー保持部材の保持部に圧力センサーを保持させて成ることを特徴とする請求項２記載の防犯センサー。
【発明の詳細な説明】
【技術分野】
【０００１】
本発明は、バルコニー部の腰壁又はフェンス又は塀の上端部に設ける防犯センサーに関するものである。
【背景技術】
【０００２】
従来より、バルコニー部の腰壁、フェンス、塀等を乗り越えて不審者が侵入するのを防止する防犯センサーが知られているが（例えば特許文献１、特許文献２参照）、これらは主に赤外線センサー（赤外線遮断検知によるもの）、超音波センサー、静電容量検知センサー、磁気センサーを用いて不審者の侵入を検知するものや、あるいはカメラ等の撮像的監視モニターにて監視して侵入を検知するものである。
【０００３】
このような従来の防犯センサーにおいては、赤外線センサーをはじめ上記のようなセンサーを用いるものであるため、猫や鳥等の小動物が侵入すると不審者が侵入した場合とほぼ同様に検知して、不審者が侵入していないにも関わらず不審者の侵入有りと誤検知してしまうものであり、センサーの方式を上記のもののままで改良しようとすると構造の複雑化・部材点数の増加を招いて高額化してしまうものであった。
【０００４】
また、カメラ等を設ける場合にはバルコニー部の腰壁又はフェンス又は塀との収まりが悪くて一体感がなく、美観を損ねるものであった。
【特許文献１】特開２００１−１５３９６４号公報
【特許文献２】特開２００２−１５３８０号公報
【発明の開示】
【発明が解決しようとする課題】
【０００５】
本発明は上記の従来の問題点に鑑みて発明したものであって、その目的とするところは、簡単な構成によって、防犯センサーに赤外線センサー等を用いたもののように猫や鳥等の小動物の侵入を不審者の侵入として誤検知してしまうのを防止することが可能となって、防犯センサーの複雑化・部材点数増加による高額化を抑えることができ、また、バルコニー部の腰壁又はフェンス又は塀との収まりがよく一体感があって外観が向上する防犯センサーを提供することを課題とするものである。
【課題を解決するための手段】
【０００６】
上記課題を解決するために本発明の防犯センサーは、バルコニー部の腰壁又はフェンス又は塀の上端部に圧力センサー１を設け、前記圧力センサー１を覆うと共に下向きの荷重が印加された際に押し下げられて前記圧力センサー１を押圧するセンサー笠木２を設けて成ることを特徴とするものである。このような構成とすることで、簡単な構成で、防犯センサーに赤外線センサー等を用いた場合のように猫や鳥等の小動物の侵入を不審者の侵入として誤検知してしまうのを防止することが可能となる。
【０００７】
また、請求項２に係る発明にあっては、請求項１に係る発明において、バルコニー部の腰壁又はフェンス又は塀の上端部に圧力センサー１及びセンサー笠木２を取り付けるための取付部材３を設け、前記取付部材３の上面に圧力センサー１を設けると共に、前記取付部材３に前記圧力センサー１の上方を覆い且つこの部分に圧力センサー１を押圧するセンサー押圧部６０を形成したセンサー笠木２を設けて成ることを特徴とするものである。このような構成とすることで、圧力センサー１を確実に押圧することができて圧力センサー１の検知Ｓ／Ｎ比を向上させることができる。
【０００８】
また、請求項３に係る発明にあっては、請求項２に係る発明において、圧力センサー１及びセンサー押圧部６０をセンサー笠木２の長手方向の間隔をあけた複数の箇所に配置して成ることを特徴とするものである。このような構成とすることで、センサー笠木２のどの部分に荷重が印加されてもいずれかの圧力センサー１が荷重を検知することが可能となる。
【０００９】
また、請求項４に係る発明にあっては、請求項２又は３に係る発明において、センサー笠木２を取付部材３に対して下方に所定のストローク内で移動自在となるように設けて成ることを特徴とするものである。センサー笠木２の移動が確実に行われることとなって圧力センサー１の検知Ｓ／Ｎ比を向上させることができる。
【００１０】
また、請求項５に係る発明にあっては、請求項４に係る発明において、センサー笠木２を下方に開口する断面略Ｕ字状又は略コ字状に形成してその両側片２２を取付部材３の外側面に被嵌する構成とし、センサー笠木２の両側片２２に内方に突出する係合部２３を設けると共に取付部材３の外側面に前記係合部２３が係合される被係合部５６を凹設し、前記被係合部５６の少なくとも下部を下方へ行く程外方に位置するように傾斜する傾斜面５６ａとして成ることを特徴とするものである。このような構成とすることで、センサー笠木２が押し下げられて被係合部５６の傾斜面５６ａに弾接した係合部２３が、センサー笠木２の下向きの荷重がなくなった時にセンサー笠木２の側片２２の弾性によって傾斜面５６ａを上方に移動してセンサー笠木２が元の状態にまで押し上げられるものである。
【００１１】
また、請求項６に係る発明にあっては、請求項２乃至５のいずれかに係る発明において、圧力センサー１の受感部１０を上方に凸となる形状に形成し、センサー押圧部６０の前記受感部１０を押圧する押圧凸部６２を受感部１０の頂部以外の部位に対応する部分にそれぞれ設けて成ることを特徴とするものである。このような構成とすることで、センサー笠木２に斜め下向きの荷重が印加されてセンサー笠木２が斜め下方に移動するような場合でも受感部１０によって荷重を検知可能となる。
【００１２】
また、請求項７に係る発明にあっては、請求項２乃至６のいずれかに係る発明において、バルコニー部の腰壁又はフェンス又は塀の上端面に設けた手摺８３に取付部材３を固定するものにおいて、取付部材３を手摺８３に取り付ける際に手摺８３の曲率を吸収するための曲率吸収部材３１を設けて成ることを特徴とするものである。このような構成とすることで、様々な手摺８３の上面の曲率に合わせて曲率吸収部材３１を介して取付部材３を固定することが可能となる。
【００１３】
また、請求項８に係る発明にあっては、請求項２乃至７のいずれかに係る発明において、センサー笠木２に該センサー笠木２が下方に押し下げられた際に復元力を発生させるため取付部材３に弾接する弾性部７を設けて成ることを特徴とするものである。このような構成とすることで、下向きの荷重がなくなった際に弾性部７の復元力によってセンサー笠木２が元の状態に復元される。
【００１４】
また、請求項９に係る発明にあっては、請求項８に係る発明において、センサー笠木２の下面にセンサー押圧部６０及び弾性部７を有するセンサー押圧部材６を設け、前記センサー押圧部材６をその弾性部７を硬度の低い合成樹脂６ａで形成すると共に弾性部７以外の部分を硬度の高い合成樹脂６ｂで形成して成ることを特徴とするものである。このような構成とすることで、傷がつきにくくすると共にセンサー笠木２のストローク及び復元力を確保することができ、また、センサー笠木２と取付部材３との当接部を合成樹脂のみとして金属接触音の発生を抑えることが可能となる。
【００１５】
また、請求項１０に係る発明にあっては、請求項８に係る発明において、センサー笠木２の下面にセンサー押圧部６０及び弾性部７を有するセンサー押圧部材６を設け、前記センサー押圧部材６の弾性部７を屈曲部又は湾曲部にて形成して成ることを特徴とするものである。このような構成とすることで、センサー笠木２のストローク及び復元力を確保することができる。
【００１６】
また、請求項１１に係る発明にあっては、請求項２に係る発明において、取付部材３の上面に上方に開口してその内部が保持部１６ａとなる弾性を有するセンサー保持部材１６を設け、該センサー保持部材１６の保持部１６ａに圧力センサー１を保持させて成ることを特徴とするものである。このような構成とすることで、容易に圧力センサー１を取り付け・取り外しすることが可能となる。
【発明の効果】
【００１７】
本発明は、簡単な構成によって、防犯センサーに赤外線センサー等を用いたもののように猫や鳥等の小動物の侵入を不審者の侵入として誤検知してしまうのを防止することが可能となり、防犯センサーの複雑化・部材点数増加による高額化を抑えることができ、また、バルコニー部の腰壁又はフェンス又は塀の上端部あるいはこの上に設けた手摺との収まりがよく一体感があって外観が向上する。
【発明を実施するための最良の形態】
【００１８】
以下、本発明を添付図面に示す実施形態に基いて説明する。本発明の防犯センサーは、戸建住宅や集合住宅のバルコニー部の腰壁をはじめ、敷地のフェンスや塀等の上端部に設置するもので、本実施形態ではバルコニー部の腰壁の上端部に設置するがこれに限定されず、また上記以外の壁部等に設けてもよい。
【００１９】
バルコニー部の腰壁８１は、図２に示すように壁本体８２をコンクリート等により形成すると共に、壁本体８２の上端部に手摺８３を設けて構成してある。手摺８３は、壁本体８２の上端面の長手方向に複数立設した手摺用支柱８４に載置固定して設ける笠木からなるもので、上面が上方に凸となる曲面状をしたアルミニウム等の金属製のものであるが、その他の材質で形成してもよい。この手摺８３には一般の製造業者が製造する様々なものが用いられる。そして、この手摺８３上に防犯センサーを取り付けるものである。
【００２０】
防犯センサーは、図１、図２に示すように取付部材３と、センサー笠木２と、圧力センサー１と、センサー押圧部６０とで主体が構成されるもので、本実施形態では更に曲率吸収部材３１を設けてある。
【００２１】
曲率吸収部材３１はＥＰＤＭ材等の弾性材からなる略板状をしたもので、様々な手摺８３の上面の曲率に合わせて変形して上横片の上面に沿うように下面が載置されると共に、曲率吸収部材３１の上面に取付部材３の下面が載置されてこの下面に沿うように変形する。（図３参照）
取付部材３は、バルコニー部の腰壁８１又はフェンス又は塀の上端部に固定して圧力センサー１及びセンサー笠木２を取り付けるためのもので、本実施形態ではベース材４とセンサー笠木固定部材５とで構成される。
【００２２】
ベース材４は、下横片４１と、該下横片４１の両側に形成されるセンサー笠木固定部材５が被着される被着部４２とで構成される金属製のものであるが、その他の材質で形成してもよい。下横片４１は手摺８３の長手方向に間隔をおいて複数取り付けられる板状をしたもので、下横片４１の幅方向（短手方向）の両端部の上側に断面略ロ字状をした被着部４２が設けてある。このベース材４は、上記のように曲率吸収部材３１を介して手摺８３の上面に載置すると共にビス等の固着具４３にて手摺８３に固定するものである。
【００２３】
センサー笠木固定部材５は、センサー取付部５１と、ベース材固定部５３と、センサー笠木取付部５５とで構成される長尺のものである。センサー取付部５１は底片５１ａ、側片５１ｂからなる上方に開口する略コ字状をした金属製のものであるが、その他の材質で形成してもよい。底片５１ａの上面に後述する圧力センサー１が載置固定される。また、センサー取付部５１の両側片５１ｂの上端部から内方に向けて押さえ片５２が形成してあり、圧力センサー１がセンサー取付部５１に載置された際に両側から押さえて挟持することで固定をより一層確実に行うものである。センサー取付部５１の両側片５１ｂの上端部からは横板状のベース材固定部５３がそれぞれ外方に向けて連設され、この両側のベース材固定部５３は上記ベース材４の両側の被着部４２の上面にそれぞれ載置されて固着具５４にて固定される。ベース材固定部５３の外方側の端部からは縦板状のセンサー笠木取付部５５が垂下される。センサー笠木取付部５５は、本実施形態においては下端部近傍の外面に被係合部５６が凹設してあり、センサー笠木２の係合部２３が係合される。
【００２４】
センサー笠木２は、上覆い片２１と側片２２とからなる下方に開口する断面略Ｕ字状や略コ字状等をして圧力センサー１を覆う長尺のもので、本実施形態においては上覆い片２１を上方に凸となる曲面状に形成すると共に、上覆い片２１の両側端部から縦板状の側片２２を垂下して形成してある。両側の側片２２間の間隔は、上記センサー笠木固定部材５の両センサー笠木取付部５５の外面間の距離と略同じに形成してあり、両側の側片２２を若干押し広げると共に両センサー笠木取付部５５を若干押し狭めて被せることでセンサー笠木２を上方からセンサー笠木固定部材５に被嵌し、側片２２の下端部の内方側面に内方に突出する凸状の係合部２３をセンサー笠木取付部５５の上記被係合部５６に係合してセンサー笠木２がセンサー笠木固定部材５に取り付けられる。
【００２５】
ここで、本実施形態においてはセンサー笠木２がセンサー笠木固定部材５に対して上下に可動となるようにしてある。センサー笠木取付部５５に設けた被係合部５６は、該センサー笠木取付部５５の外面に上下に幅を有する略Ｖ字状の凹溝として形成してあり、この被係合部５６としての凹溝内にセンサー笠木２の凸状の係合部２３が弾圧されて係合されるのであるが、センサー笠木２に荷重が印加されていない状態では、センサー笠木２の側片２２とセンサー笠木固定部材５のセンサー笠木取付部５５の弾性により係合部２３は被係合部５６の凹溝の最深部に弾圧された状態となり、センサー笠木２に下向きの荷重が印加された場合には、センサー笠木２が押し下げられて係合部２３が被係合部５６の凹溝の最深部よりも下側の位置に弾圧された状態となる。この時のセンサー笠木２の下方への移動を規制する規制部２４がセンサー笠木２の側片２２の上端部近傍に設けてある。規制部２４は、センサー笠木２とセンサー笠木固定部材５とが上記のように係合部２３と被係合部５６とで係合してセンサー笠木２に荷重が印加されていない状態（自然状態という）において、センサー笠木取付部５５の上面から上方に間隔をあけた箇所から内方に突設するもので、センサー笠木取付部５５の上面から規制部２４までの距離がセンサー笠木２の自然状態位置から下方へのストロークとなり、このストローク内でセンサー笠木２が移動自在となっている。
【００２６】
また、前記凹溝からなる被係合部５６は、図１（ｂ）に示すように下半部（少なくとも下部）が下方へ行く程外方に位置するように傾斜する傾斜面５６ａとしてある。これにより、センサー笠木２が押し下げられると、センサー笠木２の側片２２が外方に押し広げられると共にセンサー笠木固定部材５のセンサー笠木取付部５５が内方に押し狭められて前記側片２２の係合部２３がセンサー笠木取付部５５の被係合部５６の最深部から下方の傾斜面５６ａへ移動するが、下向きの荷重がなくなると弾性によりセンサー笠木２の側片２２が内方に狭まろうとすると共にセンサー笠木固定部材５のセンサー笠木取付部５５が外方に広がろうとするため、前記被係合部５６の傾斜面５６ａに弾接している係合部２３は傾斜面５６ａを上方に移動して被係合部５６の最深部に係合された状態に復元されることとなり、センサー笠木２は元の自然状態にまで押し上げられるものである。
【００２７】
そしてセンサー笠木２の上覆い片２１の下面には、センサー取付部５１に取り付けた圧力センサー１を押圧するセンサー押圧部６０を形成するもので、以下に圧力センサー１とセンサー押圧部６０とについて説明する。
【００２８】
圧力センサー１は、本実施形態では長尺の変位検知式のケーブル状圧力センサー１を用いているが、特にこれに限定されない。本実施形態のケーブル状圧力センサー１（以下単に圧力センサー１という）は、図４に示すように内電極となる導電金属を含む芯電極１１の周囲に可撓性感圧体１２を配置すると共に、該可撓性感圧体１２の周囲に更に可撓性外電極１３を周設し、該可撓性外電極１３にリード部材１４を電気的及び機械的に接続して構成される。この圧力センサー１は、その表面に圧力（荷重）が印加されたとき、その部分が歪むことで芯電極１１と可撓性外電極１３との間に電圧が誘起され、この誘起電圧を利用して圧力を検出するものである。本実施形態では更に圧力センサー１を弾性体１５にてモールドしている。この弾性体１５は、図１（ａ）に示すように底部１５ａの上側に本体部１５ｂを形成し、前記本体部１５ｂの上端部に圧力センサー１の下半部を埋設すると共に、上方に凸となって突出している圧力センサー１の上半部を被覆しており、この上方に凸となった部分の表面が受感部１０となっている。圧力センサー１は、弾性体１５の底部１５ａを上記センサー取付部５１の底片５１ａ上に載置することで設置され、この時、センサー笠木２の上覆い片２１の下面に形成した後述するセンサー押圧部６０が弾性体１５の圧力センサー１の受感部１０に当接又は近接した状態となる。
【００２９】
センサー押圧部６０は、本実施形態ではセンサー笠木２の上覆い片２１の下面にセンサー押圧部６０を備えたセンサー押圧部材６を設けて形成してある。
【００３０】
センサー押圧部材６は、センサー笠木２の上覆い片２１の下面に沿う板状をした本体板部６１と、本体板部６１の下面に下方に突設したセンサー押圧部６０とからなる。本体板部６１は接着剤や固着具等の固着手段（図示せず）によって上覆い片２１の長手方向に間隔をあけた複数の箇所にそれぞれ固定される。センサー押圧部６０は上述したように圧力センサー１の受感部１０に当接又は近接した状態で配設され、センサー笠木２が下方へ押し下げられた際に受感部１０を押圧するもので、このように圧力センサー１及びセンサー押圧部６０をセンサー笠木２の長手方向の間隔をあけた複数の箇所に配置することで、センサー笠木２のどの部分に荷重が印加されてもいずれかの圧力センサー１（本実施形態は圧力センサー１のいずれかの部分）が荷重を検知することが可能となる。そして、荷重を検知した際に不審者の侵入有りと判定するものである。
【００３１】
圧力センサー１からの検知信号は、図２に示すようにセンサー笠木２内の長手方向の一部に検知回路ブロック９１を固着具９３にてセンサー笠木固定部材５に固定すると共にこの部分のセンサー笠木２を検知回路ブロックカバー９２として別個に着脱可能に形成してあり、圧力センサー１の検知信号は検知回路ブロックカバー９２からの信号線９４を介して壁本体８２の内側面に取り付けた電源ユニットブロック９５に送信される。電源ユニットブロック９５は商用電源が給電されており、不審者有りと判定した場合には警報音等の警報を発する。
【００３２】
図５にセンサー押圧部材６の他例を示す。本例の場合には、センサー押圧部６０の前記受感部１０を押圧する押圧凸部６２を受感部１０のセンサー押圧部６０に対向する頂部以外の部位に対応する部分にも設けてある。これにより、センサー笠木２に斜め下向きの荷重が印加されて斜め下方に移動するような場合でも受感部１０によって荷重を検知可能となるものである。
【００３３】
以上のような構成によれば、圧力センサー１及び下向きの荷重が印加されて押し下げられた際に圧力センサー１を押圧するセンサー笠木２にて防犯センサーを構成したことで、防犯センサーに赤外線センサー等を用いた場合のように猫や鳥等の小動物の侵入を不審者の侵入として誤検知してしまうことがなく、これを圧力センサー１及びセンサー笠木２という簡単な構成で達成することができて、防犯センサーの複雑化・部材点数増加による高額化を抑えることができ、また、バルコニー部の腰壁８１に設けた手摺８３との収まりがよく一体感があって外観が向上するものである。また、センサー笠木２の下面に突出するセンサー押圧部６０を形成したことで、圧力センサー１の受感部１０を確実に押圧することができて圧力センサー１の検知Ｓ／Ｎ比を向上させることができる。また、センサー笠木２を取付部材３に対して下方に所定のストローク内で移動自在となるようにしたことで、センサー笠木２の移動（押し下げ）が確実に行われることとなって圧力センサー１の検知Ｓ／Ｎ比を向上させることができる。
【００３４】
次に、他の実施形態について図６に基いて説明する。本実施形態では、センサー笠木２が下方に押し下げられた際に復元力を発生させる弾性部７を設けてある。この弾性部７は、センサー笠木２の上覆い片２１の下面のセンサー押圧部材６を設けた部分の短手方向両側から垂下する垂下片７１ａと、垂下片７１ａの下端から外斜め下方に連設される当接片７１ｂとからなる。センサー笠木２に下向きの荷重が印加されて押し下げられた際に押さえ片５２に弾接している当接片７１ｂが撓んで弾性力が発生し、下向きの荷重がなくなると前記弾性力が復元力となってセンサー笠木２が元の自然状態にまで押し上げられて復元される。弾性部７の弾性力は、人の平均的な体重（４０〜６０ｋｇ程度）がセンサー笠木２に印加された時に全ストローク押し下げられるような弾性係数に設定する等、様々が設定が挙げられるが特に限定はされないものであり、以下の実施形態についても同様である。
【００３５】
次に、更に他の実施形態について図７に基いて説明する。本実施形態は、センサー笠木２が下方に押し下げられた際に復元力を発生させる弾性部７をセンサー笠木２の側片２２及びセンサー笠木固定部材５のセンサー笠木取付部５５に設けてある。係合部２３及び被係合部５６は側片２２の上下略中央位置に形成してあり、側片２２の下端部近傍に弾性部７としての弾性凸部７２ｂを設けると共にセンサー笠木取付部５５の前記弾性凸部７２ｂに対応する部分を下方へ行く程外方に位置するように傾斜する弾性傾斜片７２ａとしてある。センサー笠木２に下向きの荷重が印加されて押し下げられた際に側片２２の弾性凸部７２ｂがセンサー笠木取付部５５の被係合部５６の最深部から下方の弾性傾斜片７２ａへ移動して、センサー笠木２の側片２２が外方に押し広げられると共にセンサー笠木固定部材５のセンサー笠木取付部５５が内方に押し狭められるが、下向きの荷重がなくなると側片２２及び弾性傾斜片７２ａの弾性によりセンサー笠木２の側片２２が内方に狭まろうとすると共にセンサー笠木固定部材５のセンサー笠木取付部５５が外方に広がろうとするため、センサー笠木２は元の自然状態にまで押し上げられるものである。
【００３６】
次に、更に他の実施形態について図８に基いて説明する。本実施形態は、センサー押圧部材６を、その弾性部７を硬度の低い合成樹脂６ａで形成すると共に、弾性部７以外の部分を硬度の高い合成樹脂６ｂで形成してある。本実施形態の弾性部７は、センサー押圧部材６の本体板部６１の下面のセンサー押圧部６０を設けた部分の短手方向両側から垂下するもので、センサー笠木２に下向きの荷重が印加されて押し下げられた際にこの弾性部７がセンサー笠木固定部材５のベース材固定部５３の上面とで圧縮されて弾性力が発生し、下向きの荷重がなくなると前記弾性力が復元力となってセンサー笠木２が元の自然状態にまで押し上げられて復元される。弾性部７は、その弾性力が上実施形態と同様に人の平均的な体重がセンサー笠木２に印加された時に全ストローク押し下げられるような弾性係数となるように合成樹脂の硬度を設定するが、他の方法により硬度を決定してもよい。また、弾性部７以外の部分は弾性部７の硬度以上の硬度を有して傷がつきにくいようにしてある。これにより、傷がつきにくくすると共にセンサー笠木２のストローク及び復元力を確保することができ、また、センサー笠木２と取付部材３との当接部を合成樹脂のみとして金属接触音の発生を抑えることが可能となる。
【００３７】
次に、更に他の実施形態について図９に基いて説明する。本実施形態は、センサー押圧部材６の弾性部７を屈曲部又は湾曲部にて形成してある。本実施形態の弾性部７は、センサー押圧部材６の本体板部６１の下面のセンサー押圧部６０を設けた部分の短手方向両側から垂下する垂下当接片７３の途中に設けてある。センサー笠木２に下向きの荷重が印加されて押し下げられた際にこの弾性部７がセンサー笠木固定部材５のベース材固定部５３の上面とで圧縮されて弾性力が発生し、下向きの荷重がなくなると前記弾性力が復元力となってセンサー笠木２が元の自然状態にまで押し上げられて復元される。これにより、センサー笠木２のストローク及び復元力を確保することができる。
【００３８】
なお本発明の防犯センサーは、例えば図１０に示すように、フェンスや柵の上端部に取付部材３を設けて圧力センサー１及びセンサー笠木２を取り付け、センサー笠木２を手摺としてもよいし、また図１１に示すようにバルコニー部の腰壁の上端部や塀の上端部に手摺を設置していない場合には、この上端部に取付部材３を設けて圧力センサー１及びセンサー笠木２を取り付け、センサー笠木２を手摺としてもよい。
【００３９】
また、上実施形態の変位検知式の圧力センサー２の代わりに電極式抵抗値変化検出型圧力センサーやリミットスイッチ式センサーを用いてもよい。
【００４０】
次に、更に他の実施形態について図１２乃至図１５に基いて説明する。本実施形態では圧力センサー１を上実施形態のように弾性体１５にてモールドするのではなく、センサー保持部材１６にて保持するようにしている。また、取付部材３、センサー笠木２、センサー押圧部材６も上実施形態と異なるものであり、以下に説明する。
【００４１】
本実施形態の取付部材３は、上実施形態のように別部材のベース材４とセンサー笠木固定部材５とからなるものではなく、図１２に示すように一体に形成してある。この取付部材３は、手摺８３の上面の長手方向に間隔をおいて複数取り付けられるもので、金属やその他の材質で形成してもよいが、アルミの押出成形材がよく用いられる。取付部材３は、下横片３２と、延設片３３とで主体が構成される。下横片３２は下面が手摺８３の上面に取り付けられる厚肉板状をしたもので、その上面にはセンサー保持部材１６が載置固定されるセンサー取付部３５が形成されている。下横片３２の上面の前記センサー取付部３５の幅方向の両側には立設片３２ａが立設してあり、両立設片３２ａにてセンサー保持部材１６を挟んだ状態で該センサー保持部材１６を保持するものである。下横片３２の幅方向の両端部からはそれぞれ板状をした延設片３３が延設してあり、この延設片３３の外方端部が斜め内下方に折り曲げられており、この外方に若干凸曲した部分がセンサー笠木取付部としての被係合部３４となっている。前記被係合部３４間の長さは手摺８３の幅（手摺８３の両側片の外面間の距離）と同じに形成している。また、延設片３３が折り曲げられて被係合部３４の下側に位置する部分は上実施形態の傾斜面５６ａと同様の機能を有する傾斜面３４ａとなっている。この取付部材３は、下横片３２の下面を手摺８３の上面に載置した状態で該下横片３２に形成した固着具挿通孔（図示せず）を挿通して固着具３６を手摺８３に螺着することで固定する。
【００４２】
センサー笠木２については、上覆い片２１と側片２２とからなり下方に開口する断面略Ｕ字状や略コ字状等をして圧力センサー１を覆う長尺のものである点では上実施形態と同じであるが、本実施形態においては両側の側片２２間の間隔（側片２２の内面間の距離）を上記取付部材３の両被係合部３４間の距離および手摺８３の幅と同じに形成してあるとともに、側片２２を取付部材３に取り付けた時にその下端が手摺８３の側片の下端よりも下方が同レベルとなるように上下長さを設定してある。
【００４３】
またセンサー笠木２の両側片２２には、上実施形態と同様に取付部材３の両被係合部３４に係合する係合部２３が内方に突設してあると共に、センサー笠木２の下方への移動を規制する規制部２４が前記係合部２３の上方位置より内方に突設してあり、この側片２２の内面の係合部２３と規制部２４の間の部分が取付部材３の被係合部３４が当接する当接面となっている。
【００４４】
センサー笠木２の取付部材３への取り付けは、両側の側片２２を若干押し広げて上方から取付部材３と手摺８３の両側に被せていき、側片２２を手摺８３の側片の外面に被せた状態とし、側片２２の係合部２３を取付部材３の被係合部３４の下側に位置させて被係合部３４を側片２２の内面に当接させることで行う。この状態、即ちセンサー笠木２に外部から荷重が印加されていない状態では、後述するセンサー押圧部材６にてセンサー笠木２が上方に付勢されて、側片２２の係合部２３が取付部材３の被係合部３４の下側に当接すると共に側片２２の規制部２４は取付部材３の延設片３３の上面よりも若干距離をおいた上方に位置しているが、センサー笠木２に下向きの荷重が印加されると、センサー押圧部材６の付勢力に抗ってセンサー笠木２が押し下げられていき、センサー笠木２の側片２２の規制部２４が取付部材３の延設片３３の上面に当接してセンサー笠木２の下方への移動が停止する。センサー笠木２への荷重がなくなると、センサー押圧部材６の付勢力が復元力となってセンサー笠木２が上方に移動して元の状態となる。
【００４５】
センサー保持部材１６は、図１４、図１５等に示すように、ゴム材やエラストマー材のような軟質系樹脂等で形成され、上方に開口してその内部が圧力センサー１を保持する保持部１６ａとなるものである。  センサー保持部材１６の長さは取付部材３の長さよりも短く形成してあり、幅は上述した取付部材３の立設片３２ａ間の距離と略同じかこれより若干短く形成してあり、取付部材３の立設片３２ａ間に嵌入保持される。本実施形態ではセンサー保持部材１６の両側面に係合凹部１６ｂが凹設してあると共に取付部材３の立設片３２ａの内側面に係合凸部３２ｂが凸設してあり、これらの凹凸嵌合により抜け止めがなされるものである。また、センサー保持部材１６の保持部１６ａの上方の開口の開口幅は圧力センサー１の径よりも小さく形成してあり、両開口端縁間を広げて圧力センサー１を保持部１６ａに出し入れするものである。なお、圧力センサー１は上実施形態と同様に芯電極１１、可撓性感圧体１２、可撓性外電極１３、リード部材１４からなり、弾性体１５でモールドされていないものが用いられる。
【００４６】
本実施形態のセンサー押圧部材６は、図１２、図１４に示すように、取付部材３の上面に固定される固定片６３と、固定片６３から上方に突設される弾性片６４と、弾性片６４の先端に形成される押圧片６５とで構成される。固定片６３は板状をしたもので、この固定片６３を取付部材３の下横片３２の上面の立設片３２ａの外側部分に載置した状態で、ビス等の固着具６９を該固定片６３の固着具挿通孔（図示せず）を挿通して取付部材３の下横片３２に螺着して固定する。固定片６３の外側端部からは上方に向けて弾性片６４が連設してある。弾性片６４は、基端部が固定片６３から垂直に立設されると共に先端部に向けて内方に向けて緩やかに曲げられて先端部近傍がセンサー笠木２の上覆い片２１の下面に弾接する弾接部６４ａとなっている。弾接部６４ａの上覆い片２１の下面と弾接する部分は、幅方向中央部よりも若干側方に偏った位置となっており、センサー笠木２の上覆い片２１を前記偏った側の斜め上方から反対側の斜め下方に向けて押し下げた際に最もよく弾性片６４が曲げられる。このセンサー押圧部材６は、センサー笠木２の長手方向から見て圧力センサー１に対して左右から対向するように弾性片６４を設けているので、センサー笠木２が左右より、つまり、手摺の外側または内側から力がかけられても曲げられるものである。そして、傾斜片６４の先端からは下方およびセンサー笠木２の幅方向の中央部に向けて押圧片６５が連設してあるとともに、この押圧片６５の下面に下方に向けてセンサー押圧部６０が突設してある。上述したように弾性片６４が曲げられた際に、このセンサー押圧部６０が圧力センサー１を押圧するものである。
【００４７】
本実施形態においては、取付部材３に配設したセンサー保持部材１６に圧力センサー１を嵌め込んで保持させるだけで圧力センサー１を配設することができ、また取外す際にも幅狭の両開口端縁間を弾性的に広げて圧力センサー１を取り出すだけで取外し作業が行われ、取り付け・取り外し作業が容易になるものである。
【００４８】
また、圧力センサー１の余長分については、上実施形態では弾性体１５でモールドしていたため弾性体１５と圧力センサー１全体を切断する必要があったが、本実施形態では圧力センサー１のみを折り曲げてセンサー笠木２の内部の空いたスペースに収納することができる。図中３７は圧力センサー１の余長分を挟持して保持する保持片である。
【図面の簡単な説明】
【００４９】
【図１】（ａ）は本発明の一実施形態の断面図であり、（ｂ）は（ａ）のＡ部拡大図である。
【図２】防犯センサーを設けたバルコニー部の腰壁の全体斜視図である。
【図３】（ａ）（ｂ）（ｃ）は曲率が異なる手摺に防犯センサーを取り付けた断面図である。
【図４】圧力センサーの側断面図である。
【図５】センサー押圧部材の他例の下方から見た斜視図である。
【図６】他の実施形態の断面図である。
【図７】更に他の実施形態の断面図である。
【図８】更に他の実施形態を示し、（ａ）はセンサー押圧部材の他例の下方から見た斜視図であり、（ｂ）はセンサー笠木が自然状態にある断面図であり、（ｃ）はセンサー笠木が押し下げられた状態の断面図である。
【図９】更に他の実施形態を示し、（ａ）はセンサー押圧部材の他例の下方から見た斜視図であり、（ｂ）はセンサー笠木が自然状態にある断面図であり、（ｃ）はセンサー笠木が押し下げられた状態の断面図である。
【図１０】更に他の実施形態の断面図である。
【図１１】更に他の実施形態の断面図である。
【図１２】更に他の実施形態の断面図である。
【図１３】同上の腰壁の全体斜視図である。
【図１４】同上の取付部材、圧力センサー、センサー保持部材、センサー押圧部材の斜視図である。
【図１５】同上のセンサー保持部材を示し、（ａ）は圧力センサーを取り付けた状態の断面図であり、（ｂ）はセンサ保持部材の斜視図である。
【符号の説明】
【００５０】
１    圧力センサー
２    センサー笠木
３    取付部材
３１  曲率吸収部材
４    ベース材
５    センサー笠木固定部材
６    センサー押圧部材
６０  センサー押圧部
８３  手摺
【図１】
2007073022.tif 000003
【図２】
2007073022.tif 000004
【図３】
2007073022.tif 000005
【図４】
2007073022.tif 000006
【図５】
2007073022.tif 000007
【図６】
2007073022.tif 000008
【図７】
2007073022.tif 000009
【図８】
2007073022.tif 000010
【図９】
2007073022.tif 000011
【図１０】
2007073022.tif 000012
【図１１】
2007073022.tif 000013
【図１２】
2007073022.tif 000014
【図１３】
2007073022.tif 000015
【図１４】
2007073022.tif 000016
【図１５】
2007073022.tif 000017